(57)【要約】      （修正有）【課題】軽量で、球体が落ちにくいボール雲台を提供する。【解決手段】ボール雲台は、本体１１と、球体１２と、ファスナーとを有する。本体は、上下に隣接する球体収納部及びファスナー収納部と、ノッチ部１４とを有する。球体収納部は上方に、球体収納部の直径よりも小さい球体収納部開口部を有する。ファスナー収納部は下方に、ファスナー収納部の直径よりも小さいファスナー収納部開口部を有する。ノッチ部は、球体収納部開口部からファスナー収納部開口部まで延伸され、球体収納部開口部に近接する位置に固定部セット１１５を有する。球体収納部とファスナー収納部は、ノッチ部を介して外部空間とつながる。球体は、球体の内部から外部に延伸されるスクリューロッド１２１を有する。ノッチ部を所定角度に開け、ファスナーをファスナー収納部に置き、球体を球体収納部に置き、ノッチ部を閉める。固定部セットの締めと緩めにより、球体の回転停止／回転可能を行なう。【選択図】図１
0003227171.tif 000002
【実用新案登録請求の範囲】
【請求項１】
本体と、球体と、ファスナーとを有し、
前記本体は、上下に隣接する球体収納部及びファスナー収納部と、ノッチ部とを有し、
前記球体収納部は、外部空間まで上方に延伸され、前記球体収納部の直径よりも小さい直径を有する球体収納部開口部を形成され、
前記ファスナー収納部は、外部空間まで下方に延伸され、前記ファスナー収納部の直径よりも小さい直径を有するファスナー収納部開口部を形成され、
前記ノッチ部は、前記球体収納部開口部から前記ファスナー収納部開口部まで延伸され、前記球体収納部開口部に近接する位置に固定部セットを有し、
前記球体収納部及び前記ファスナー収納部は、前記ノッチ部を介して前記外部空間とつながり、
前記球体は、前記球体の内部から外部に延伸されるスクリューロッドを有し、
前記スクリューロッドは、中心に台部ナットを有する台部を有し、
前記スクリューロッドが前記台部ナットに回転可能に接続されることで、前記台部と前記スクリューロッドとの相対位置を調整でき、
前記本体の前記ノッチ部を所定角度に開け、前記ファスナーを前記ファスナー収納部に置き、前記球体を前記球体収納部に置き、前記スクリューロッドを前記球体収納部開口部に通り抜けた後、前記本体１１の前記ノッチ部を閉め、
前記固定部セットを締めることによって前記ノッチ部を小さくして、前記球体収納部が前記球体をクランプすることで、前記球体の回転を止め、
前記固定部セットを緩めることによって前記ノッチ部を大きくして、前記球体が前記球体収納部にクランプされることを解除し、前記球体が回転可能となることを特徴とする、
ボール雲台。
【請求項２】
前記本体における前記ノッチ部に対応する位置に、前記球体収納部開口部から前記本体の所定位置まで延伸されるスクリューロッド用開口部を有することを特徴とする、請求項１に記載のボール雲台。
【請求項３】
前記ファスナーはナットであり、前記ファスナー収納部開口部を介して第１対象に接続されることを特徴とする、請求項１に記載のボール雲台。
【請求項４】
前記ファスナーはネジであり、前記ファスナー収納部開口部を介して第２対象に接続されることを特徴とする、請求項１に記載のボール雲台。
【考案の詳細な説明】
【技術分野】
【０００１】
本考案は、ボール雲台、特にノッチ部が所定角度に開けられる本体を有するボール雲台に関する。
【背景技術】
【０００２】
従来の１種類のボール雲台は、金属製であり、組み付ける場合、普通は底部から順に球体を置き、ベース台を置き、ボール雲台の側面からねじ込み、ネジによってベース台上部の凹部位置を押し、ベース台を球体に押し上げることで、球体を静止させる。その欠点としては、金属製であるため、重量が重いことにある。
【０００３】
また、従来のもう１種類のボール雲台は、プラスチック製であり、プラスチックの弾性を利用して、球体を上方から雲台本体に強く押し込み、側面のファスナーによって押すことで、球体を静止させる。その欠点としては、球体が上方から落ちて、雲台上の設備に損傷を与えやすいことにある。
【考案の概要】
【考案が解決しようとする課題】
【０００４】
従来のボール雲台の重量が重く、又は球体が落ちやすい等の問題点を解決するために、本考案は、ボール雲台を提供する。本考案のボール雲台の本体は、球体収納部開口部及びファスナー収納部開口部と、球体収納部開口部からファスナー収納部開口部まで延伸されるノッチ部とを有する。本体のノッチ部を所定角度に開け、順にファスナー及び球体をファスナー収納部及び球体収納部に置き、ノッチ部を閉めて、固定部セットによってノッチ部を制限する。固定部セットを締めることによって、球体が回転不能の状態となり、固定部セットを緩めることによって、球体が回転可能の状態となる。本考案によれば、プラスチックを利用するため、重量が重い問題を解決できる。さらに、ノッチ部を使用することで、球体が落ちて雲台上の設備に損傷を与える問題を解決できる。
【課題を解決するための手段】
【０００５】
本考案の前記ボール雲台は、本体と、球体と、ファスナーとを有し、前記本体は、上下に隣接する球体収納部及びファスナー収納部と、ノッチ部とを有し、前記球体収納部は、外部空間まで上方に延伸され、前記球体収納部の直径よりも小さい直径を有する球体収納部開口部を形成され、前記ファスナー収納部は、外部空間まで下方に延伸され、前記ファスナー収納部の直径よりも小さい直径を有するファスナー収納部開口部を形成され、前記ノッチ部は、前記球体収納部開口部から前記ファスナー収納部開口部まで延伸され、前記球体収納部開口部に近接する位置に固定部セットを有し、前記球体収納部及び前記ファスナー収納部は、前記ノッチ部を介して前記外部空間とつながり、前記球体は、前記球体の内部から外部に延伸されるスクリューロッドを有し、前記スクリューロッドは、中心に台部ナットを有する台部を有し、前記スクリューロッドが前記台部ナットに回転可能に接続されることで、前記台部と前記スクリューロッドとの相対位置を調整でき、前記本体の前記ノッチ部を所定角度に開け、前記ファスナーを前記ファスナー収納部に置き、前記球体を前記球体収納部に置き、前記スクリューロッドを前記球体収納部開口部に通り抜けた後、前記本体の前記ノッチ部を閉め、前記固定部セットを締めることによって前記ノッチ部を小さくして、前記球体収納部が前記球体をクランプすることで、前記球体の回転を止め、前記固定部セットを緩めることによって前記ノッチ部を大きくして、前記球体が前記球体収納部にクランプされることを解除し、前記球体が回転可能となる。
【０００６】
好ましくは、前記本体における前記ノッチ部に対応する位置に、前記球体収納部開口部から前記本体の所定位置まで延伸されるスクリューロッド用開口部を有する。
【０００７】
好ましくは、前記ファスナーはナットであり、ファスナー収納部開口部を介して第１対象に接続される。
【０００８】
好ましくは、前記ファスナーはネジであり、ファスナー収納部開口部を介して第２対象に接続される。
【考案の効果】
【０００９】
本考案の利点としては、ボール雲台の重量を減らす、球体の脱落を防ぐ、ファスナーというネジ又はナットによってそれぞれ他の対象に接続されることにある。よって、持ち運びの便利さ、使用の安全性及び多様性を向上できる。
【図面の簡単な説明】
【００１０】
【図１】本考案の実施例１の模式図（ボール雲台全体の模式図）である。
【図２】本考案の実施例１の分解模式図である。
【図３Ａ】本考案の実施例１における本体を示す模式図である。
【図３Ｂ】本考案の実施例１における本体のノッチを所定角度に開いた状態を示す模式図である。
【図４Ａ】本考案の実施例１においてファスナーを組み立てることを示す模式図である。
【図４Ｂ】本考案の実施例１において球体を組み立てることを示す模式図である。
【図４Ｃ】本考案の実施例１において球体を組み立てたことを示す模式図である。
【図４Ｄ】本考案の実施例１において固定部セットを組み立てることを示す模式図である。
【図５Ａ】本考案の実施例1において他の角度から見た模式図である。
【図５Ｂ】本考案の実施例１において前記スクリューロッドをスクリューロッド用開口部にねじ込んだ状態を示す模式図である。
【図６】本考案の実施例１において第１対象と組み立てる前の状態を示す模式図である。
【図７】本考案の実施例２において第２対象と組み立てる前の状態を示す模式図である。
【考案を実施するための形態】
【００１１】
以下、図１〜図６を参照しながら本考案の実施形態を説明する。下記説明は、あくまで実施例に過ぎない。本考案は、下記内容に制限されない。
【００１２】
図１〜図５を参照しながら説明する。本考案の実施例におけるボール雲台１は、本体１１と、球体１２と、ファスナー１３とを有する。前記本体１１は、上下に隣接する球体収納部１１１及びファスナー収納部１１２と、ノッチ部１４とを有する。前記球体収納部１１１は、外部空間まで上方に延伸され、前記球体収納部１１１の直径よりも小さい直径を有する球体収納部開口部１１３を形成される。前記ファスナー収納部１１２は、外部空間まで下方に延伸され、前記ファスナー収納部１１２の直径よりも小さい直径を有するファスナー収納部開口部１１４を形成される。
【００１３】
前記ノッチ部１４は、前記球体収納部開口部１１３から前記ファスナー収納部開口部１１４まで延伸され、前記球体収納部開口部１１３に近接する位置に固定部セット１１５を有する。前記球体収納部１１１及び前記ファスナー収納部１１２は、前記ノッチ部１１４を介して前記外部空間とつながる。前記球体１２は、前記球体１２の内部から外部に延伸されるスクリューロッド１２１を有する。前記スクリューロッド１２１は、中心に台部ナット１２２１を有する台部１２２を有する。前記スクリューロッド１２１が前記台部ナット１２２１に回転可能に接続されることで、前記台部１２２と前記スクリューロッド１２１との相対位置を調整できる。
【００１４】
また、図３Ａ及び図３Ｂに示すように、前記本体１１の前記ノッチ部１４を所定角度に開け、図４Ａに示すように、前記ファスナー１３を前記ファスナー収納部１１２に置き、図４Ｂに示すように、前記球体１２を前記球体収納部１１に置き、前記スクリューロッド１２１を前記球体収納部開口部１１３に通り抜けた後、図４Ｃに示すように、前記本体１１の前記ノッチ部１４を閉める。
【００１５】
そして、図４Ｄに示すように、前記固定部セット１１５を締めることによって前記ノッチ部１４を小さくして、前記球体収納部１１１が前記球体１２をクランプすることで、前記球体１２の回転を止める。そして、前記固定部セット１１５を緩めることによって前記ノッチ部１４を大きくして、前記球体１２が前記球体収納部１１１にクランプされること解除することで、前記球体１２が回転可能となる。
【００１６】
好ましくは、図５Ａに示すように、本考案の実施例１において、前記本体１１における前記ノッチ部１４に対応する位置に、前記球体収納部開口部１１３から前記本体１１の所定位置まで延伸されるスクリューロッド用開口部１１６を有する。図５Ｂに示すように、前記固定部セット１１５を緩めて、前記球体１２を回転すると共に前記スクリューロッド１２１を前記スクリューロッド用開口部１１６にねじ込むことで、前記スクリューロッド１２１のスイング角度範囲を拡大できる。
【００１７】
好ましくは、図６に示すように、本考案の実施例１において、前記ファスナー１３はナット１３１であり、ファスナー収納部開口部１１４を介して第１対象２に接続される。前記第１対象２はバットネジ２１を有する。前記バットネジ２１は、前記ファスナー収納部開口部１１４を通り抜けて前記ナット１３１に接続される。
【００１８】
好ましくは、図７に示すように、本考案の実施例２において、前記ファスナー１３はネジ１３２であり、ファスナー収納部開口部１１４を介して第２対象３に接続される。前記第２対象３はバットナット３１を有する。前記ネジ１３２は、前記ファスナー収納部開口部１１４を通り抜けて前記バットナット１３２に接続される。
【００１９】
上記内容は、あくまで本考案の実施例である。当業者が請求の範囲及び明細書の内容に基づいてなされた修正は、いずれも本考案に含む。
【符号の説明】
【００２０】
１  ボール雲台
１１  本体
１１１  球体収納部
１１２  ファスナー収納部
１１３  球体収納部開口部
１１４  ファスナー収納部開口部
１１５  固定部セット
１１６  スクリューロッド用開口部
１２  球体
１２１  スクリューロッド
１２２  台部
１２２１  台部ナット
１３  ファスナー
１３１  ナット
１３２  ネジ
１４  ノッチ部
２  第１対象
２１  バットネジ
３  第２対象
３１  バットナット
【図１】
0003227171.tif 000003
【図２】
0003227171.tif 000004
【図３Ａ】
0003227171.tif 000005
【図３Ｂ】
0003227171.tif 000006
【図４Ａ】
0003227171.tif 000007
【図４Ｂ】
0003227171.tif 000008
【図４Ｃ】
0003227171.tif 000009
【図４Ｄ】
0003227171.tif 000010
【図５Ａ】
0003227171.tif 000011
【図５Ｂ】
0003227171.tif 000012
【図６】
0003227171.tif 000013
【図７】
0003227171.tif 000014